(57)【特許請求の範囲】
【請求項１】
近距離無線通信と無線充電共用の感応モジュールの選択方法において、
それぞれ第１周波数信号或いは第２周波数信号を感応受信できる第１コイル及び第２コイルが配設された感応モジュールを配備するステップ、
該感応モジュールの感応受信したのが第１周波数信号であるか或いは第２周波数信号であるかを判断するステップ、
該第１周波数信号により、第１チップユニットを制御してオンして該第１コイルに電気的に接続し、該第１周波数信号をキャプチャするか、或いは、
該第２周波数信号により、第２チップユニットを制御してオンして該第２コイルに電気的に接続し、該第２周波数信号をキャプチャするステップ、
を包含することを特徴とする、近距離無線通信と無線充電共用の感応モジュールの選択方法。
【請求項２】
請求項１記載の近距離無線通信と無線充電共用の感応モジュールの選択方法において、該第１コイルと該第２コイルそれぞれに２本の引き出し線が設けられたことを特徴とする、近距離無線通信と無線充電共用の感応モジュールの選択方法。
【請求項３】
請求項２記載の近距離無線通信と無線充電共用の感応モジュールの選択方法において、該第１コイルのそのうち１本の引き出し線が該第２コイルのそのうち１本の引き出し線と相互に電気的に接続されて共用端とされたことを特徴とする、近距離無線通信と無線充電共用の感応モジュールの選択方法。
【請求項４】
請求項１記載の近距離無線通信と無線充電共用の感応モジュールの選択方法において、該第１周波数信号は近距離無線通信信号とされ、且つ該第１チップユニットは近距離無線通信チップとされ、該第２周波数信号は無線電力信号とされ、且つ該第２チップユニットは無線充電チップとされたことを特徴とする、近距離無線通信と無線充電共用の感応モジュールの選択方法。
【請求項５】
請求項１記載の近距離無線通信と無線充電共用の感応モジュールの選択方法において、該感応モジュールの感応受信したのが第１周波数信号であるか或いは第２周波数信号であるかを判断するステップでは、中央処理ユニットにより判断を行うことを特徴とする、近距離無線通信と無線充電共用の感応モジュールの選択方法。
【請求項６】
請求項１記載の近距離無線通信と無線充電共用の感応モジュールの選択方法において、該感応モジュールの感応受信したのが第１周波数信号であるか或いは第２周波数信号であるかを判断するステップでは、中央処理ユニットにより該第１チップユニットを制御してオンして該第１コイルに電気的に接続するか、或いは該第２チップユニットをオンして該第２コイルに電気的に接続することを特徴とする、近距離無線通信と無線充電共用の感応モジュールの選択方法。
【請求項７】
近距離無線通信と無線充電共用の感応モジュールの選択方法において、
それぞれ第１周波数信号或いは第２周波数信号を感応受信できる第１コイル及び第２コイルが配設された感応モジュールを配備するステップ、
選択的に該第１コイル或いは該第２コイルに電気的に接続される回路選択ユニットを配備するステップ、
該感応モジュールの感応受信したのが第１周波数信号であるか或いは第２周波数信号であるかを判断するステップ、
該第１周波数信号により、該回路選択ユニットを制御して第１チップユニットを選択して該第１コイルに電気的に接続し、該第１周波数信号をキャプチャするか、
或いは、
該第２周波数信号により、該回路選択ユニットを制御して第２チップユニットを選択して該第２コイルに電気的に接続し、該第２周波数信号をキャプチャするステップ、
を包含することを特徴とする、近距離無線通信と無線充電共用の感応モジュールの選択方法。
【請求項８】
請求項７記載の近距離無線通信と無線充電共用の感応モジュールの選択方法において、該第１コイルと該第２コイルそれぞれに２本の引き出し線が設けられたことを特徴とする、近距離無線通信と無線充電共用の感応モジュールの選択方法。
【請求項９】
請求項８記載の近距離無線通信と無線充電共用の感応モジュールの選択方法において、該第１コイルのそのうち１本の引き出し線が該第２コイルのそのうち１本の引き出し線と相互に電気的に接続されて共用端とされたことを特徴とする、近距離無線通信と無線充電共用の感応モジュールの選択方法。
【請求項１０】
請求項７記載の近距離無線通信と無線充電共用の感応モジュールの選択方法において、該第１周波数信号は近距離無線通信信号とされ、且つ該第１チップユニットは近距離無線通信チップとされ、該第２周波数信号は無線電力信号とされ、且つ該第２チップユニットは無線充電チップとされたことを特徴とする、近距離無線通信と無線充電共用の感応モジュールの選択方法。
【請求項１１】
請求項７記載の近距離無線通信と無線充電共用の感応モジュールの選択方法において、該感応モジュールの感応受信したのが第１周波数信号であるか或いは第２周波数信号であるかを判断するステップでは、中央処理ユニットにより判断を行うことを特徴とする、近距離無線通信と無線充電共用の感応モジュールの選択方法。
【請求項１２】
請求項７記載の近距離無線通信と無線充電共用の感応モジュールの選択方法において、該回路選択ユニットを制御するステップ中、中央処理ユニットにより該回路選択ユニットを制御して該第１チップユニットを選択して該第１コイルに電気的に接続するか、或いは該第２チップユニットを選択して該第２コイルに電気的に接続することを特徴とする、近距離無線通信と無線充電共用の感応モジュールの選択方法。
【請求項１３】
近距離無線通信と無線充電共用の感応モジュールの選択方法において、
それぞれ第１周波数信号或いは第２周波数信号を感応受信できる第１コイル及び第２コイルが配設された感応モジュールを配備するステップ、
選択的に該第１コイル或いは該第２コイルに電気的に接続される回路選択ユニットを配備するステップ、
該感応モジュールの感応受信したのが第１周波数信号であるか或いは第２周波数信号であるかを判断するステップ、
該第１周波数信号により、該回路選択ユニットを制御して第３チップユニットを選択して該第１コイルに電気的に接続し、該第１周波数信号をキャプチャするか、
或いは、
該第２周波数信号により、該回路選択ユニットを制御して第３チップユニットを選択して該第２コイルに電気的に接続し、該第２周波数信号をキャプチャするステップ、
を包含することを特徴とする、近距離無線通信と無線充電共用の感応モジュールの選択方法。
【請求項１４】
請求項１３記載の近距離無線通信と無線充電共用の感応モジュールの選択方法において、該第１コイルと該第２コイルそれぞれに２本の引き出し線が設けられたことを特徴とする、近距離無線通信と無線充電共用の感応モジュールの選択方法。
【請求項１５】
請求項１４記載の近距離無線通信と無線充電共用の感応モジュールの選択方法において、該第１コイルのそのうち１本の引き出し線が該第２コイルのそのうち１本の引き出し線と相互に電気的に接続されて共用端とされたことを特徴とする、近距離無線通信と無線充電共用の感応モジュールの選択方法。
【請求項１６】
請求項１３記載の近距離無線通信と無線充電共用の感応モジュールの選択方法において、該第１周波数信号は近距離無線通信信号とされ、該第２周波数信号は無線電力信号とされ、且つ該第３チップユニットは近距離無線通信と無線充電のダブル機能チップとされることを特徴とする、近距離無線通信と無線充電共用の感応モジュールの選択方法。
【請求項１７】
請求項１３記載の近距離無線通信と無線充電共用の感応モジュールの選択方法において、該感応モジュールの感応受信したのが第１周波数信号であるか或いは第２周波数信号であるかを判断するステップでは、中央処理ユニットにより判断を行うことを特徴とする、近距離無線通信と無線充電共用の感応モジュールの選択方法。
【請求項１８】
請求項１３記載の近距離無線通信と無線充電共用の感応モジュールの選択方法において、該回路選択ユニットを制御するステップ中、中央処理ユニットにより該回路選択ユニットを制御して該第３チップユニットを選択して該第１コイル或いは該第２コイルに電気的に接続することを特徴とする、近距離無線通信と無線充電共用の感応モジュールの選択方法。
【請求項１９】
近距離無線通信と無線充電共用の感応モジュールの選択回路において、
それぞれ第１周波数信号或いは第２周波数信号に感応し受信する第１コイルと第２コイルが配設された感応モジュール、
該第１コイルに電気的に接続された第１チップユニット、
該第２コイルに電気的に接続された第２チップユニット、
該第１チップユニットと該第２チップユニットに電気的に接続されて、該感応モジュールが感応受信したのが該第１周波数信号であるか或いは該第２周波数信号であるかを判断し、第１チップユニットを制御してオンして該第１コイルに電気的に接続するか、或いは第２チップユニットを制御してオンして該第２コイルに電気的に接続させる中央処理ユニット、
以上を包含することを特徴とする、近距離無線通信と無線充電共用の感応モジュールの選択回路。
【請求項２０】
請求項１９記載の近距離無線通信と無線充電共用の感応モジュールの選択回路において、該第１コイルと該第２コイルそれぞれに２本の引き出し線が設けられたことを特徴とする、近距離無線通信と無線充電共用の感応モジュールの選択回路。
【請求項２１】
請求項２０記載の近距離無線通信と無線充電共用の感応モジュールの選択回路において、該第１コイルのそのうち１本の引き出し線が該第２コイルのそのうち１本の引き出し線と相互に電気的に接続されて共用端とされたことを特徴とする、近距離無線通信と無線充電共用の感応モジュールの選択回路。
【請求項２２】
請求項１９記載の近距離無線通信と無線充電共用の感応モジュールの選択回路において、該第１周波数信号は近距離無線通信信号とされ、且つ該第１チップユニットは近距離無線通信チップとされ、該第２周波数信号は無線電力信号とされ、且つ該第２チップユニットは無線充電チップとされることを特徴とする、近距離無線通信と無線充電共用の感応モジュールの選択回路。
【請求項２３】
近距離無線通信と無線充電共用の感応モジュールの選択回路において、
それぞれ第１周波数信号或いは第２周波数信号に感応し受信する第１コイルと第２コイルが配設された感応モジュール、
それぞれ該第１コイル及び該第２コイルに電気的に接続された二つの選択端が設けられ、さらに一つの共接続端が設けられた回路選択ユニット、
該回路選択ユニットの共接続端に電気的に接続されて、該回路選択ユニットを介して該第１コイルに電気的に接続されることで、該第１周波数信号をキャプチャする第１チップユニット、
該回路選択ユニットの共接続端に電気的に接続されて、該回路選択ユニットを介して該第２コイルに電気的に接続されることで、該第２周波数信号をキャプチャする第２チップユニット、
該第１チップユニットと該第２チップユニットに電気的に接続されて、該感応モジュールが感応受信したのが該第１周波数信号であるか或いは該第２周波数信号であるかを判断し、該回路選択ユニットを制御して該第１チップユニットを該第１コイルに電気的に接続するか、或いは該回路選択ユニットを制御して該第２チップユニットを該第２コイルに電気的に接続させる中央処理ユニット、
以上を包含することを特徴とする、近距離無線通信と無線充電共用の感応モジュールの選択回路。
【請求項２４】
請求項２３記載の近距離無線通信と無線充電共用の感応モジュールの選択回路において、該第１コイルと該第２コイルそれぞれに２本の引き出し線が設けられたことを特徴とする、近距離無線通信と無線充電共用の感応モジュールの選択回路。
【請求項２５】
請求項２４記載の近距離無線通信と無線充電共用の感応モジュールの選択回路において、該第１コイルのそのうち１本の引き出し線が該第２コイルのそのうち１本の引き出し線と相互に電気的に接続されて共用端とされたことを特徴とする、近距離無線通信と無線充電共用の感応モジュールの選択回路。
【請求項２６】
請求項２３記載の近距離無線通信と無線充電共用の感応モジュールの選択回路において、該第１周波数信号は近距離無線通信信号とされ、且つ該第１チップユニットは近距離無線通信チップとされ、該第２周波数信号は無線電力信号とされ、且つ該第２チップユニットは無線充電チップとされることを特徴とする、近距離無線通信と無線充電共用の感応モジュールの選択回路。
【請求項２７】
近距離無線通信と無線充電共用の感応モジュールの選択回路において、
それぞれ第１周波数信号或いは第２周波数信号に感応し受信する第１コイルと第２コイルが配設された感応モジュール、
それぞれ該第１コイル及び該第２コイルに電気的に接続された二つの選択端が設けられ、さらに一つの共接続端が設けられた回路選択ユニット、
該回路選択ユニットの共接続端に電気的に接続されて、該回路選択ユニットを介して該第１コイル或いは該第２コイルに電気的に接続されて、該第１周波数信号或いは該第２周波数信号をキャプチャする第３チップユニット、
該第３チップユニットに電気的に接続され、該感応モジュールの感応受信したのが第１周波数信号であるか或いは第２周波数信号であるかを判断し、該回路選択ユニットを制御して該第３チップユニットを該第１コイルに電気的に接続するか、或いは該第２コイルに電気的に接続する中央処理ユニット、
以上を包含することを特徴とする、近距離無線通信と無線充電共用の感応モジュールの選択回路。
【請求項２８】
請求項２７記載の近距離無線通信と無線充電共用の感応モジュールの選択回路において、該第１コイルと該第２コイルそれぞれに２本の引き出し線が設けられたことを特徴とする、近距離無線通信と無線充電共用の感応モジュールの選択回路。
【請求項２９】
請求項２８記載の近距離無線通信と無線充電共用の感応モジュールの選択回路において、該第１コイルのそのうち１本の引き出し線が該第２コイルのそのうち１本の引き出し線と相互に電気的に接続されて共用端とされたことを特徴とする、近距離無線通信と無線充電共用の感応モジュールの選択回路。
【請求項３０】
請求項２７記載の近距離無線通信と無線充電共用の感応モジュールの選択回路において、該第１周波数信号は近距離無線通信信号とされ、該第２周波数信号は無線電力信号とされ、且つ該第３チップユニットは近距離無線通信と無線充電のダブル機能チップとされることを特徴とする、近距離無線通信と無線充電共用の感応モジュールの選択回路。
【発明の詳細な説明】
【技術分野】
【０００１】
本発明は一種の近距離無線通信と無線充電共用の感応モジュールの選択方法及びその選択回路に係り、特に、ポータブル設備上で使用され、無線充電（Ｗｉｒｅｌｅｓｓ  Ｃｈａｒｇｉｎｇ，ＷＬＣ）感応モジュールと近距離無線通信（Ｎｅａｒ  Ｆｉｅｌｄ  Ｃｏｍｍｕｎｉｃａｔｉｏｎ，ＮＦＣ）感応モジュールを一体に整合した感応モジュールの選択方法及び選択回路に関する。
【背景技術】
【０００２】
ポータブル電子設備、たとえば携帯電話、携帯情報端末装置（ＰＤＡ）、パームトップ型コンピュータ、ノートブック型コンピュータ或いはタブレットＰＣ等は、いずれも電池により給電されており、使用者が商用電源のないときに使用するのに便利であり、且つこれらの電子装置はいずれも有線の電力供給装置を付帯しており、電池の充電或いは商用電源による給電に便利である。
【０００３】
新型の無線充電（ＷＬＣ）技術は、ポータブル設備に電力線の使用を不要とし、電磁誘導の方式で直接電力をこれらのポータブル設備に提供し、その電池を充電させることができる。図１は、無線充電伝送の構造表示図であり、それは、電力伝送モジュール１０及び電力受信モジュール２０を包含する。該電力伝送モジュール１０は、伝送端コイル１１、伝送端鉄心板１２を具え、該電力受信モジュール２０は、受信端コイル２１、受信端鉄心板２２を有する。
【０００４】
該電力受信モジュール２０が該電力伝送モジュール１０に接近する時、電流が該電力伝送モジュール１０の伝送端コイル１１に流されて磁場を生成し、該電力受信モジュール２０の受信端コイル２１が該磁場に感応することで電流を生成する。
【０００５】
このほか、現在、ポータブル設備中に近距離無線通信（ＮＦＣ）を結合することは、相当に重視されており、近距離無線通信（ＮＦＣ）は十分にポータブル設備に非接触式のポイント対ポイントの通信を行わせることができ、きわめて便利な接続方式を提供し、スピーディーに、便利に、通信を実行できる。
【０００６】
近距離無線通信（ＮＦＣ）技術は、非接触式周波数識別（ＲＦＩＤ）及び関連技術の整合、変遷に由来し、現在、近距離無線通信（ＮＦＣ）の応用領域中には、たとえば、交通運送システム中で使用される感応カードがあり、感応カードを自動改札の改札入口に近づけるだけで、改札を通ることができ、且つ感応時間は一般の非接触式ＩＣカードより速く、利用者が多いステーションに、相当に受け入れられる。
【０００７】
これにより、ある業者は近距離無線通信チップを携帯電話等のポータブル設備内に嵌め込み、すなわち、ポータブル電子設備において無線充電（ＷＬＣ）技術と近距離無線通信（ＮＦＣ）の機能を整合することは、将来不可避の傾向である。
【０００８】
しかし、現在、近距離無線通信（ＮＦＣ）及び無線充電（ＷＬＣ）技術の二種類の回路は完全に異なり、それぞれが独立しており、各自の感応モジュールを使用して、各自の異なる信号を受信しなければならず、このため、ポータブル設備のますます軽薄短小化される内部空間にあって、これら二種類の回路の整合は、相当に難度が高い。
【発明の概要】
【発明が解決しようとする課題】
【０００９】
本発明者は、近距離無線通信（ＮＦＣ）及び無線充電（ＷＬＣ）の二種類の技術が、いずれも近距離感応により信号を伝送するものであり、このため、いずれもコイル感応モジュールを使用する必要があり、且つこれら二種類の感応モジュールは同時に使用できないことに気づき、これにより、一種の、近距離無線通信（ＮＦＣ）と無線充電（ＷＬＣ）共用の感応モジュールを設計し、近距離無線通信（ＮＦＣ）と無線充電（ＷＬＣ）の信号を受信して、さらに一組の選択回路により信号の自動切換えを行ない、感応モジュール共用の目的を達成できるようにする。
【００１０】
本発明の目的は、一種の、近距離無線通信と無線充電共用の感応モジュールの選択方法及びその選択回路を提供することにあり、それは、近距離無線通信（ＮＦＣ）と無線充電（ＷＬＣ）の二種類の異なる周波数の信号の感応モジュールを一体に整合することで、感応モジュールがポータブル設備中で占拠する面積を縮小し、二種類の機能を同一のポータブル設備において整合する目的を達成する。
【課題を解決するための手段】
【００１１】
本発明の主要な技術特徴は以下のとおりであるものとする。すなわち、一種の近距離無線通信と無線充電共用の感応モジュールの選択方法を提供し、それは、それぞれが第１周波数信号或いは第２周波数信号に感応し受信する第１コイルと第２コイルが配設された感応モジュールを配備するステップ、該感応モジュールが感応し受信したのが第１周波数信号であるか第２周波数信号であるかを判断するステップ、及び該第１周波数信号により第１チップユニットを制御してオンして該第１コイルに電気的に接続させるか、或いは該第２周波数信号により第２チップユニットを制御してオンして該第２コイルに電気的に接続させるステップを包含する。
【００１２】
本発明の次の技術特徴は以下のとおりであるものとする。すなわち、一種の近距離無線通信と無線充電共用の感応モジュールの選択方法を提供し、それは、それぞれが第１周波数信号或いは第２周波数信号に感応し受信する第１コイルと第２コイルが配設された感応モジュールを配備するステップ、回路選択ユニットを配備するステップ、該感応モジュールが感応し受信したのが第１周波数信号であるか第２周波数信号であるかを判断するステップ、及び該第１周波数信号により該回路選択ユニットを制御して第１チップユニットを選択して該第１コイルに電気的に接続させるか、或いは該第２周波数信号により該回路選択ユニットを制御して第２チップユニットを選択して該第２コイルに電気的に接続させるステップを包含する。
【００１３】
本発明のさらに一つの技術特徴は以下のとおりであるものとする。すなわち、一種の近距離無線通信と無線充電共用の感応モジュールの選択方法を提供し、それは、それぞれが第１周波数信号或いは第２周波数信号に感応し受信する第１コイルと第２コイルが配設された感応モジュールを配備するステップ、回路選択ユニットを配備するステップ、該感応モジュールが感応し受信したのが第１周波数信号であるか第２周波数信号であるかを判断するステップ、及び該第１周波数信号により該回路選択ユニットを制御して第３チップユニットを選択して該第１コイルに電気的に接続させるか、或いは該第２周波数信号により該回路選択ユニットを制御して第３チップユニットを選択して該第２コイルに電気的に接続させるステップを包含する。
【００１４】
本発明のまた一つの技術特徴は以下のとおりであるものとする。すなわち、一種の近距離無線通信と無線充電共用の感応モジュールの選択回路を提供し、それは、第１周波数信号或いは第２周波数信号に感応し受信する第１コイルと第２コイルが配設された感応モジュール、該第１コイルに電気的に接続された第１チップユニット、該第２コイルに電気的に接続された第２チップユニット、及び該第１チップユニットと該第２チップユニットに電気的に接続されて、該第１チップユニットを制御してオンさせ該第１コイルに電気的に接続させるか、或いは該第２チップユニットを制御してオンさせ該第２コイルに電気的に接続させる中央処理ユニット、以上を包含する。
【００１５】
本発明のもう一つの技術特徴は以下のとおりであるものとする。すなわち、一種の近距離無線通信と無線充電共用の感応モジュールの選択回路を提供し、それは、第１周波数信号或いは第２周波数信号に感応し受信する第１コイルと第２コイルが配設された感応モジュール、回路選択ユニット、該回路選択ユニットを介して該第１コイルに電気的に接続される第１チップユニット、該回路選択ユニットを介して該第２コイルに電気的に接続される第２チップユニット、及び、該回路選択ユニットを制御して該第１チップユニットを選択して該第１コイルに電気的に接続させるか、或いは該回路選択ユニットを制御して該第２チップユニットを選択して該第２コイルに電気的に接続させる中央処理ユニット、以上を包含する。
【００１６】
本発明のさらに一つの技術特徴は以下のとおりであるものとする。すなわち、一種の近距離無線通信と無線充電共用の感応モジュールの選択回路を提供し、それは、第１周波数信号或いは第２周波数信号に感応し受信する第１コイルと第２コイルが配設された感応モジュール、回路選択ユニット、該回路選択ユニットを介して該第１コイル或いは該第２コイルに電気的に接続される第３チップユニット、該回路選択ユニットを制御して該第３チップユニットを選択し該第１コイルに電気的に接続させるか、該第２コイルに電気的に接続させる中央処理ユニット、以上を包含する。
【発明の効果】
【００１７】
本発明は、一種の、近距離無線通信と無線充電共用の感応モジュールの選択方法及びその選択回路を提供し、それは、近距離無線通信（ＮＦＣ）と無線充電（ＷＬＣ）の二種類の異なる周波数の信号の感応モジュールを一体に整合することで、感応モジュールがポータブル設備中で占拠する面積を縮小し、二種類の機能を同一のポータブル設備において整合する目的を達成する。
【図面の簡単な説明】
【００１８】
【図１】周知の無線充電伝送の構造表示図である。
【図２】本発明の共用感応モジュールの第１実施例の選択回路表示図である。
【図３】本発明の共用感応モジュールの第１実施例の選択方法のフローチャートである。
【図４】本発明の共用感応モジュールの第２実施例の選択回路表示図である。
【図５】本発明の共用感応モジュールの第２実施例の選択方法のフローチャートである。
【図６】本発明の共用感応モジュールの第３実施例の選択回路表示図である。
【図７】本発明の共用感応モジュールの第３実施例の選択方法のフローチャートである。
【発明を実施するための形態】
【００１９】
本発明の技術内容、構造特徴、達成する目的を詳細に説明するため、以下に実施例を挙げ並びに図面を組み合わせて説明する。
【００２０】
図２を参照されたい。それは、本発明の近距離無線通信と無線充電共用の感応モジュールの第１実施例の選択回路表示図である。該第１実施例の選択回路３０は、感応モジュール３１、第１チップユニット３２、第２チップユニット３３、及び中央処理ユニット３４を包含する。
【００２１】
そのうち、該感応モジュール３１上には第１コイル３１１及び第２コイル３１２が配設され、それぞれに２本の引き出し線が設けられ、それぞれ第１周波数信号或いは第２周波数信号に感応し受信する。且つ該第１コイル３１１のそのうち１本の引き出し線は該第２コイル３１２のそのうち１本の引き出し線と相互に電気的に接続されて共用端（図示されず）とされる。該感応モジュールの二組のコイル構造は、本発明の主張の重点ではないため、これ以上は説明しない。
【００２２】
そのうち、該第１チップユニット３２は該第１コイル３１１に電気的に接続され、これにより第１周波数信号をキャプチャする。該第２チップユニット３３は該第２コイル３１２に電気的に接続され、これにより第２周波数信号をキャプチャする。
【００２３】
該中央処理ユニット３４は該第１チップユニット３２及び該第２チップユニット３３に電気的に接続されて、該感応モジュール３１が感応、受信したのが第１周波数信号であるか第２周波数信号であるのかを判断し、第１チップユニット３２を制御してオンし、該第１コイル３１１に電気的に接続するか、或いは第２チップユニット３３を制御してオンし、該第２コイル３１２に電気的に接続する。
【００２４】
そのうち、該第１周波数信号は、近距離無線通信信号とされ、且つ該第１チップユニット３２は近距離無線通信（ＮＦＣ）チップ（ＩＣ）とされて、該近距離無線通信（ＮＦＣ）信号をキャプチャした後に処理を行ない、該第２周波数信号は該無線電力信号とされ、且つ該第２チップユニット３３は無線充電（ＷＬＣ）チップ（ＩＣ）とされ、該無線電力信号をキャプチャした後に直流電源に変換し、電池充電チップ（ＩＣ）３５を介して電池３６に対して充電を行う。
【００２５】
図３に示されるのは、本発明の共用感応モジュールの第１実施例の選択方法のフローチャートである。まず、感応モジュール３１を配備する。その上には、該第１コイル３１１及び該第２コイル３１２が配設され（Ｓ１１０）、それぞれ該第１周波数信号或いは該第２周波数信号を感応受信できる。
【００２６】
続いて、該中央処理ユニット３４が該感応モジュール３１の感応受信したのが第１周波数信号であるか或いは第２周波数信号であるかを判断する（Ｓ１２０）。
【００２７】
最後に、該中央処理ユニット３４が該第１周波数信号であると判断したとき、該第１チップユニット３２を制御してオンさせ、該第１コイル３１１に電気的に接続し（Ｓ１３０）、こうして該第１周波数信号をキャプチャするか、或いは、該中央処理ユニット３４が該第２周波数信号であると判断したとき、該第２チップユニット３３を制御して該第２コイル３１２に電気的に接続させ（Ｓ１４０）、こうして該第２周波数信号をキャプチャする。
【００２８】
図４を参照されたい。それは本発明の感応モジュールの第２実施例の選択回路表示図である。本発明の第２実施例の該選択回路３０は、感応モジュール３１、回路選択ユニット３７、第１チップユニット３２、第２チップユニット３３及び中央処理ユニット３４を包含する。
【００２９】
そのうち、該感応モジュール３１上に、第１コイル３１１及び第２コイル３１２が配設され、それぞれに２本の引き出し線が設けられ、それぞれ第１周波数信号或いは第２周波数信号に感応し受信する。
【００３０】
そのうち、該回路選択ユニット３７には二つの選択端３７１、３７２が設けられ、それぞれ該第１コイル３１１及び該第２コイル３１２に電気的に接続され、さらに共接続端３７３が設けられ、該回路選択ユニット３７を介して該第１コイル３１１に電気的に接続され、こうして第１周波数信号をキャプチャする。
【００３１】
該第２チップユニット３３もまた該回路選択ユニット３７の共接続端３７３に接続され、該回路選択ユニット３７を介して該第２コイル３１２に電気的に接続され、こうして第２周波数信号をキャプチャする。
【００３２】
該中央処理ユニット３４は該第１チップユニット３２及び該第２チップユニット３３に電気的に接続されて、該感応モジュール３１が感応し受信したのが第１周波数信号であるか或いは第２周波数信号であるのかの判断を行ない、該回路選択ユニット３７を制御して、該第１チップユニット３２を該第１コイル３１１に電気的に接続させるか、或いは該回路選択ユニット３７を制御して、該第２チップユニット３３を該第２コイル３１２に電気的に接続させる。
【００３３】
そのうち、該第１周波数信号は近距離無線通信信号とされ、且つ該第１チップユニット３２は近距離無線通信チップ（ＩＣ）とされて、該近距離無線通信信号をキャプチャした後に処理を行え、該第２周波数信号は該無線電力信号とされて、且つ該第２チップユニット３３は無線充電チップ（ＩＣ）とされて、該無線電力信号をキャプチャした後に変換して直流電源となすことができ、電池充電チップ３５により電池３６に対して充電を行う。
【００３４】
本実施例は、該第１コイル３１１のそのうち１本の引き出し線と該第２コイル３１２のそのうちの１本の引き出し線が相互に電気的に接続されて共用端３７４とされ、さらに該第１チップユニット３２と該第２チップユニット３３の各共用端、たとえば接地端と電気的に接続される。
【００３５】
図５を参照されたい。それは、本発明の共用感応モジュールの第２実施例の選択方法のフローチャートである。本発明の第２実施例の選択方法は、まず、それぞれ第１周波数信号或いは第２周波数信号に感応し受信できる該第１コイル３１１及び該第２コイル３１２が配設された該感応モジュール３１を配備する（Ｓ２１０）。
【００３６】
続いて、該第１コイル３１１或いは該第２コイル３１２のいずれかを選択して接続できる該回路選択ユニット３７を配備する（Ｓ２２０）。
【００３７】
続いて、該中央処理ユニット３４により該感応モジュール３１の感応、受信するのが第１周波数信号であるのか、第２周波数信号であるのかを判断する（Ｓ２３０）。
【００３８】
最後に、該中央処理ユニット３４により該第１周波数信号であると判断した時、該回路選択ユニット３７を制御して該第１チップユニット３２を選択して該第１コイル３１１に電気的に接続し（Ｓ２４０）、該第１周波数信号をキャプチャする。
【００３９】
或いは、該中央処理ユニット３４により該第２周波数信号であると判断した時、該回路選択ユニット３７を制御して第２チップユニット３３を選択して該第２コイル３１２に接続し（Ｓ２５０）、該第２周波数信号をキャプチャする。
【００４０】
図６を参照されたい。それは本発明の感応モジュールの第３実施例の選択回路表示図である。本発明の第３実施例の選択回路３０は、感応モジュール３１、回路選択ユニット３７、第３チップユニット３８及び中央処理ユニット３４を包含する。
【００４１】
そのうち、該感応モジュール３１上には、該第１コイル３１１及び該第２コイル３１２が配設され、それぞれ２本の引き出し線を有し、それぞれ第１周波数信号或いは第２周波数信号に感応し受信する。
【００４２】
該回路選択ユニット３７には二つの選択端３７１、３７２が設けられ、それぞれ該第１コイル３１１、該第２コイル３１２に電気的に接続され、さらに、共接続端３７３が設けられている。
【００４３】
該第３チップユニット３８は該回路選択ユニット３７の共接続端３７３に電気的に接続され、該回路選択ユニット３７を介して該第１コイル３１１或いは該第２コイル３１２に電気的に接続され、こうして該第１周波数信号或いは該第２周波数信号をキャプチャする。
【００４４】
そのうち、該中央処理ユニット３４は該第３チップユニット３８に電気的に接続され、該感応モジュール３１の感応受信するのが第１周波数信号であるか第２周波数信号であるのかを判断するのに用いられ、これにより該回路選択ユニット３７を制御して該第３チップユニット３８を選択して該第１コイル３１１に電気的に接続するか或いは該第２コイル３１２に電気的に接続する。
【００４５】
そのうち、該第１周波数信号は近距離無線通信（ＮＦＣ）信号とされ、該第２周波数信号は無線電力信号とされ得る。且つ該第３チップユニット３８は近距離無線通信（ＮＦＣ）と無線電力の二重機能を有するチップ（ＩＣ）とされる。
【００４６】
本実施例は、該第１コイル３１１のそのうちの１本の引き出し線と該第２コイル３１２のそのうちの１本の引き出し線が相互に電気的に接続されてひとつの共用端３７４とされ、さらに該第３チップユニット３８の共用端３７４、たとえば接地端と電気的に接続される。
【００４７】
図７を参照されたい。それは本発明の共用感応モジュールの第３実施例の選択方法のフローチャートである。本発明の第３実施例の選択方法は、まず、それぞれ該第１周波数信号及び該第２周波数信号を感応受信する該第１コイル３１１及び該第２コイル３１２が配備された該感応モジュール３１を配備する（Ｓ３１０）。
【００４８】
該第１コイル３１１或いは該第２コイル３１２を選択して電気的に接続する該回路選択ユニット３７を配備する（Ｓ３２０）。
【００４９】
中央処理ユニット３４により該感応モジュール３１の感応受信したのが第１周波数信号であるか或いは第２周波数信号であるかを判断する（Ｓ３３０）。
【００５０】
最後に、該中央処理ユニット３４は第１周波数信号であると判断した時、該回路選択ユニット３７を制御して、第３チップユニット３８を選択して該第１コイル３１１に電気的に接続し（Ｓ３４０）、こうして該第１周波数信号をキャプチャする。
【００５１】
或いは、該中央処理ユニット３４は第２周波数信号であると判断した時、該回路選択ユニット３７を制御して、該第３チップユニット３８を選択して該第２コイル３１２に電気的に接続し（Ｓ３５０）、こうして該第２周波数信号をキャプチャする。
【００５２】
ゆえに、本発明は、上に記載の技術により、確実に、周知のものとは異なる設計を提供し、全体の使用価値を高め、またその出願前に頒布された刊行物に記載がみられずまた公開使用されていないため、特許の要件に符合し、ここに特許出願する次第です。
【符号の説明】
【００５３】
１０  電力伝送モジュール
１１  伝送端コイル
１２  伝送端鉄心板
２０  電力受信モジュール
２１  受信端コイル
２２  受信端鉄心板
３０  選択回路
３１  感応モジュール
３１１  第１コイル
３１２  第２コイル
３２  第１チップユニット
３３  第２チップユニット
３４  中央処理ユニット
３５  電池充電チップ
３６  電池
３７  回路選択ユニット
３７１  選択端
３７２  選択端
３７３  共接続端
３７４  共用端
３８  第３チップユニット
【図１】
0005530491.tif 000002
【図２】
0005530491.tif 000003
【図３】
0005530491.tif 000004
【図４】
0005530491.tif 000005
【図５】
0005530491.tif 000006
【図６】
0005530491.tif 000007
【図７】
0005530491.tif 000008